(57)【要約】      （修正有）【課題】ハウス内における野菜、果実、花卉などの園芸作物の栽培環境を良化して、病害の発生を防止し、悪臭の発生を制御して、良好な香りと、色彩を持った作物を得ることができる栽培ハウス用二酸化塩素ガス発生具を提供する。【解決手段】濃度を３００〜９００ｐｐｍとした二酸化塩素の水溶液を多孔質鉱石２に吸収保持させる。この多孔質鉱石２を放出孔５を有する容器３内に収納する。この容器３に栽培ハウス内の天井部などに吊下げられるような吊下げ具６を設けて栽培ハウス用二酸化塩素ガス発生具１とする。上記放出孔５を有する容器３の上部は、遮光性、断熱性を持った覆体によって覆うようにするとよい。【選択図】図１
0003169115.tif 000002
【実用新案登録請求の範囲】
【請求項１】
濃度３００〜９００ｐｐｍの二酸化塩素水溶液を多孔質鉱石に吸収保持させ、これを放出孔を有する容器内に収納し、これに栽培ハウス内の天井部に吊下げられるような吊下げ具を設けた栽培ハウス用二酸化塩素ガス発生具。
【請求項２】
上記二酸化塩素水溶液の濃度が６００ｐｐｍである請求項１に記載の栽培ハウス用二酸化塩素ガス発生具。
【請求項３】
上記放出孔を有する容器の上部は、断熱、遮光性の覆体によって覆われている請求項１または２に記載の栽培ハウス用二酸化塩素ガス発生具。
【考案の詳細な説明】
【技術分野】
【０００１】
本考案は、野菜、果実、花卉などの栽培用ハウスで用いる二酸化塩素ガスの発生具に関する。
【背景技術】
【０００２】
従来より、ハウス内における園芸作物の栽培においては、病害の発生を防止し、良好な香りと、色彩を持った野菜、果実、花卉などを得ることが望まれているが、簡単な方法でこれを実現することは難しい。
【考案の概要】
【考案が解決しようとする課題】
【０００３】
本考案は、ハウス内における野菜、果実、花卉などの園芸作物の栽培環境を良化して、病害の発生を防止し、悪臭の発生を制御して、良好な香りと、色彩を持った高品質の作物を得ようとするものである。
【課題を解決するための手段】
【０００４】
本考案は、濃度を３００〜９００ｐｐｍとした安定化二酸化塩素の水溶液を多孔質鉱石に吸収保持させ、この多孔質鉱石を放出孔を有する容器内に収納し、これに栽培ハウス内の天井部などに吊下げられるような吊下げ具を設けて栽培ハウス用二酸化塩素ガス発生具とする。
上記二酸化塩素水溶液の濃度は、好ましくは６００ｐｐｍ程度にするとよい。
また、上記放出孔を有する容器の上部は、断熱、遮光性を持った覆体によって覆うようにする。
【考案の効果】
【０００５】
本考案によれば、二酸化塩素ガス発生具を栽培ハウスの天井部等に吊下げるようにして設置すると、多孔質鉱石に吸収保持されている二酸化塩素水溶液中の二酸化塩素が気化し、気体となった二酸化塩素ガスは、空気よりも比重が僅かに重いので、次第に下方へと降下して行き、ハウス内で栽培されている植物に接触し、更に栽培土壌へと降りて行くので、栽培植物の病害を抑制して発育を促進することができると共に農薬や肥料などに起因する悪臭を除去することができる。
【図面の簡単な説明】
【０００６】
【図１】本考案の実施例を示す斜視図である。
【図２】図１に示すものに覆体を被せた状態を示す斜視図である。
【図３】図２に示すものを栽培ハウス内の天井部に吊下げた状態を示す説明図である。
【考案を実施するための形態】
【０００７】
二酸化塩素は、各種の方法で作られるが、例えば、亜塩素酸ナトリウムに塩素ガスを反応させて作ることができる。この二酸化塩素は非常に水に溶けやすく、強力な酸化作用があるが、低濃度で使用すれば安全であるので、浄水場における水道水用の消毒剤などとして広く用いられている。
この二酸化塩素は、通常、濃度５０，０００ｐｐｍとか６０，０００ｐｐｍとかの安定化した水溶液で提供されているので、これを利用すると便利である。こうした濃度の二酸化塩素水溶液を水で稀釈して、濃度３００〜９００ｐｐｍの水溶液を得る。
【０００８】
上記稀釈した二酸化塩素水溶液中に多孔質鉱石を浸漬等して、多孔質鉱石に二酸化塩素水溶液を吸収保持させる。
上記多孔質鉱石としては、ゼオライト、シリカゲルその他の多孔質鉱石を使用することができ、直径が２〜８ｍｍ程度の粒状のものを使用すると都合がよい。
【０００９】
こうした二酸化塩素水溶液を吸収保持している多孔質鉱石２は、カップ形状、ボトル形状などの容器３内に収納して蓋４をする。この容器３には、中に収納した多孔質鉱石２がこぼれ出ないような大きさの放出孔５を多数形成している。
図示する二酸化塩素ガス発生具１では、直径６ｍｍ程度の多孔質ゼオライトを使用し、６００ｐｐｍの二酸化塩素水溶液中に１２〜２４時間程度浸漬して、多孔質ゼオライト２中に二酸化塩素水溶液を含浸させて保持させたものを、容器３の比較的下方部に直径２〜３ｍｍ程度の放出孔５を２０〜３０個程度設けたものに４００ｇ詰めている。
【００１０】
上記二酸化塩素水溶液を保持している多孔質鉱石２の詰まった容器３は、吊下げ具６によって栽培ハウス７の天井部８などに吊下げることができるようになっている。
上記吊下げ具６によって容器をハウスの天井部に吊下げるようにすると、多孔質鉱石に吸収保持されている二酸化塩素の水溶液から徐々に気化して二酸化塩素ガスが上記放出孔５から放出されるようになる。上記放出孔５から放出されたガスは栽培ハウス内に適度に浮遊して行くが、この二酸化塩素ガスは空気よりも僅かに比重が大きいので、浮遊しながら拡散し、ゆっくりと下方へと降下して行き、ハウス内で栽培されている作物に及び、更に栽培土壌へと降りて行くので、栽培されている園芸作物の病害を抑制して発育を促進することができると共に農薬や肥料などに起因する悪臭を除去することができる。
【００１１】
こうすることにより、栽培ハウス内で発生し易いうどんこ病や灰かび病などの病害を抑制することができ、継続使用することにより農薬の使用量を減らして栽培植物を健全化することができる。そして、この二酸化塩素ガスの濃度は低いし、次第に酸化されて消失して行くので、作物に対する影響も少なく、低農薬で、良好な品質の作物を多収穫することができる。
【００１２】
上記した図示する二酸化塩素ガス発生具１では、栽培ハウスの面積で１反当たり３０〜６０個程度、好ましくは４０〜５０個程度を使用するとよく、通常、３０〜４５日程度の期間有効であるから、その期間が経過したら、容器内の多孔質鉱石２に二酸化塩素水溶液を再度保持させることによって、同様に継続して使用することができる。この場合、上記した６０，０００ｐｐｍの原液を稀釈して使用し、多孔質鉱石２に二酸化塩素溶液を保持させるようにすると良いことが多い。
【００１３】
図２に示すように上記容器３の上方には覆体１０をかけると、気化した二酸化塩素ガスが全体に分散して行渡るようになり、効率的に拡散させるようにして使用することができる。
この場合、覆体となるものを黒色などの遮光性、断熱性のプラスチックフイルム、不織布、紙その他で形成するとよく、栽培ハウス７内の天井部８に吊下げた場合にも太陽光による影響を緩和することができて有効である。
図示のものは、筒状に形成した黒色のプラスチックフイルム１１の一端部に絞り紐１２を設け、この絞り紐１２側を上部にして容器３に被せ、絞り紐１２を巾着状に絞って覆体１０を形成したものである。
【符号の説明】
【００１４】
１：  二酸化塩素ガス発生具
２：  多孔質鉱石
３：  容器
４：  蓋
５：  放出孔
６：  吊下げ具
７：  栽培ハウス
８：  天井部
１０：覆体
１２：絞り紐
【図１】
0003169115.tif 000003
【図２】
0003169115.tif 000004
【図３】
0003169115.tif 000005